(57)【要約】【課題】本発明は、既に作成された作図情報を活用して効率よく作図する監視制御システムの監視制御画面の作図支援ツールを提供することを目的とする。【解決手段】作図処理部１は、予め登録されたオブジェクトファイル１１ａ１と、前記オブジェクトファイルから前記オブジェクトを選択し、表示させるためのオブジェクト選択ダイアログボックス１１ａ２と、最初に作画した基本オブジェクトと、該基本オブジェクトと作図したその他のオブジェクトとの関連度を求め、作図する毎にオブジェックトに該関連度を対応付けて登録したオブジェクト管理テーブル１１ｂと、関連度を所定の基準で並べた有力オブジェックトテーブル１１ｃ１と付随して作成される可能性が高いオブジェックトを対応付けして予め登録した関連オブジェクト一覧テーブル１１ｄ１とこれらの選択ダイアログボックス１１ｃ２及び１１ｄ２とを備える。【選択図】図１
2009151490.tif 000002
【特許請求の範囲】
【請求項１】
プラントの監視制御を行なう監視制御システムの監視制御画面の作図支ツールであって、
前記作図支援ツールは、前記監視制御画面を表示可能な表示部と、表示部の画面に作図して表示させる作図処理部とを備え、
前記作図処理部は、予め登録された監視制御システムの構成要素を図形化したオブジェクトを一覧可能なオブジェクトファイルと、前記オブジェクトファイルから前記オブジェクトを選択し、前記画面の編集画面に表示させるためのオブジェクト選択ダイアログボックスと、
前記オブジェクト選択ダイアロボックスを使用して、前記オブジェクトを前記表示部に表示させて前記監視制御画面を作図するとともに、前記オブジェクトを作図順に並べ、さらに、最初に作図した基本オブジェクトと、該基本オブジェクトと作図したその他の前記オブジェクトとの重なり及び接近度合いを相互の座標位置から予め定められる関係式で関連度として求め、作図する毎に前記オブジェックトに該関連度を対応付けて登録したオブジェクト管理テーブルと、
作図された前記オブジェクト毎に作図された前記基本オブジェクトとの前記関連度を所定の基準で並べた有力オブジェクトテーブルと前記有力オブジェクトを選択する為の有力オブジェクトテーブル選択ダイアログボックスと、
作図された前記オブジェクトに付随して作図される可能性が高いオブジェックトを対応付けし予め登録した関連オブジェクト一覧テーブルと前記関連オブジェクト一覧選択テーブルを選択する為の関連オブジェクト一覧テーブル選択ダイアログボックスと
を備え、
前記オブジェクト選択ダイアログボックスを操作して、前記基本オブジェクトを作図し、前記基本オブジェクトが最初の欄に登録されていなければ、新規に前記オブジェクト管理テーブルを作成して作図を実行し、
該基本オブジェクトが複数のいずれかの前記オブジェクト管理テーブルの作図の最初の欄に登録されている場合には、該オブジェクト管理テーブルを使用して次欄の前記オブジェクトを前記編集画面に自動的に表示させ、自動表示された前記次欄のオブジェクトで良ければ、この配置座標を確定して前記オブジェクト管理テーブルに登録された次のオブジェクトを順次自動表示させて作図を実行し、前記次欄のオブジェクトが次の該当オブジェクトでなければ、その他の前記オブジェクト管理テーブルを検索して順次自動表示させて作図を実行し、
いずれの前記オブジェクト管理テーブルにも作図する前記オブジェクトが表示されなければ、１つ前に表示された前記オブジェクトに対する前記関連オブジェクト一覧テーブル及び前記基本オブジェックトに対する前記有力オブジェクトテーブルとを夫々の選択ダイアログボックスを介して自動表示させて、次に作図するオブジェクトを確定して作図を実行し、
作図する毎に前記オブジェックト管理テーブルを更新して、作図順、作図する座標位置、及びオブジェクト構成が異なる毎に前記オブジェクト管理テーブルを登録し、
作図されたオブジェクトに対して、次に作図される関連性の高いオブジェクトを、前記オブジェックト管理テーブルを参照して自動的に表示させて作図するようにしたことを特徴とする監視制御システムの監視制御画面の作図支援ツール。
【請求項２】
前記有力オブジェクトテーブルは、前記基本オブジェクトに対して作図されるオブジェクト毎に更新し、前記有力オブジェクトテーブル選択ダイアログボックスは、前記関連度の強い順に所定数を選択して表示させるようにしたことを特徴とする請求項１に記載の監視制御システムの監視制御画面の作図支援ツール。
【請求項３】
前記関連オブジェクト一覧テーブルは、前記オブジェクトの動作状態を示すグラフであることを特徴とする請求項１に記載の監視制御システムの監視制御画面の作図支援ツール。
【発明の詳細な説明】
【技術分野】
【０００１】
本発明は、鉄鋼プラント、製紙プラントなどの産業システム、上下水道システム他の公共システムの監視制御システムに係り、特に、プラントの運転状態の監視や機器の制御を行なう監視制御画面の作図支援ツールに関する。
【背景技術】
【０００２】
プラント等の監視制御システムの監視制御画面（以後画面と言う）の作図支援ツールは、監視制御対象に関する構成要素の情報を絵やアイコン等に図形化して、この図形化された作図部品を表示装置の画面上に表示し、作図部品をポインティングデバイスやタッチパネルなどの入力手段で選択し、監視制御対象を監視制御画面として作図し、操作するためのＧＵＩ（Graphical User Interface）が採用されている。
【０００３】
このＧＵＩはソフトウェアを使うとき、画面上に作図部品を表示させ、直感的に分かり易く操作できるようにしたユーザー・インターフェースで、テキスト（文字）の入力以外は、「文字とキー」の代わりに「アイコンとマウス」でほとんど操作することができる。
【０００４】
監視制御対象を作図部品で表示し、マウスを使って処理内容を指定することにより、監視制御画面のオペレータはファイルやコマンドを覚えることから解放され、直感的な操作を行うことができる。
【０００５】
ＧＵＩを採用しているマンマシンの作図インタフェースとして、X-Window（Ｒ）、Windows（Ｒ）、Macintosh（Ｒ）などは、ＧＵＩでファイルや機能などを図案化したアイコンを使用することで、現実との類似性による類推が容易にでき、オペレータは画面を通してその機能や操作方法を直感的に理解することができる。
【０００６】
また、ＧＵＩの操作環境では、マウスでアイコン，メニュー・バー、スクロール・バー、ボタンなどの選択や操作を行うことができるので、クリックなどのマウスの使い方を知っていれば良く、難解なコマンドを打ち込むことなく、ウインドウ機能によって画面上に表示されたアイコンやメニューの中から必要な機能を選び、マウスで直接、指定するだけで自動的に選択される。
【０００７】
ＧＵＩを採用した監視制御システムのマンマシン装置は、絵を描くように、順次、監視制御対象に関する構成要素である部品や機能ブロックを図形化し、配置して画面を作成する。
【０００８】
そして、この作図された監視制御画面の画面データを、監視制御システムを構成する監視制御装置で読み込み、表示部の画面上に画面を表示する。
【０００９】
しかしながら、作図部品を画面上に配置していくので、複雑な画面を作成する場合や、修正する場合に多くの時間が必要になるという問題点があっため、一括管理された画面情報データを多角化表示できるようにし、画面の作成や修正の効率を向上させるようにした監視制御用マンマシン装置画ある（例えば、特許文献１参照。）。
【特許文献１】特開平１０−３２００３７号公報
【発明の開示】
【発明が解決しようとする課題】
【００１０】
従来の監視制御システムにおける監視制御画面は、例えば、特許文献１においては、作図部品である各構成要素の機能的つながり、重なり順序の属性、またこの属性をテーブルかして、画面作成の効率を上げるようにしている。
【００１１】
しかしながら、従来の作図支援ツールは、作図されたか過去の作図情報を活用しておらず、作図作業の効率を向上させるには問題があった。
【００１２】
本発明は、上記問題点を解決するためになされたもので、作成された監視制御画面の作図順や、機能的な繋がりの属性を登録しておき、監視制御画面を作成する場合に登録された作図部品（オブジェクト）とその属性に一致するものがある場合は、既に作成された作図データを活用して効率よく作図する監視制御システムの監視制御画面の作図支援ツールを提供することを目的とする。
【課題を解決するための手段】
【００１３】
上記目的を達成するために、本発明による監視制御システムの監視制御画面の作図支援ツールは、プラントの監視制御を行なう監視制御システムの監視制御画面の作図支ツールであって、前記作図支援ツールは、前記監視制御画面を表示可能な表示部と、表示部の画面に作図して表示させる作図処理部とを備え、前記作図処理部は、予め登録された監視制御システムの構成要素を図形化したオブジェクトを一覧可能なオブジェクトファイルと、前記オブジェクトファイルから前記オブジェクトを選択し、前記画面の編集画面に表示させるためのオブジェクト選択ダイアログボックスと、前記オブジェクト選択ダイアロボックスを使用して、前記オブジェクトを前記表示部に表示させて前記監視制御画面を作図するとともに、前記オブジェクトを作図順に並べ、さらに、最初に作図した基本オブジェクトと、該基本オブジェクトと作図したその他の前記オブジェクトとの重なり及び接近度合いを相互の座標位置から予め定められる関係式で関連度として求め、作図する毎に前記オブジェックトに該関連度を対応付けて登録したオブジェクト管理テーブルと、作図された前記オブジェクト毎に作図された前記基本オブジェクトとの前記関連度を所定の基準で並べた有力オブジェクトテーブルと前記有力オブジェクトを選択する為の有力オブジェクトテーブル選択ダイアログボックスと、作図された前記オブジェクトに付随して作図される可能性が高いオブジェックトを対応付けし予め登録した関連オブジェクト一覧テーブルと前記関連オブジェクト一覧選択テーブルを選択する為の関連オブジェクト一覧テーブル選択ダイアログボックスとを備え、前記オブジェクト選択ダイアログボックスを操作して、前記基本オブジェクトを作図し、前記基本オブジェクトが最初の欄に登録されていなければ、新規に前記オブジェクト管理テーブルを作成して作図を実行し、該基本オブジェクトが複数のいずれかの前記オブジェクト管理テーブルの作図の最初の欄に登録されている場合には、該オブジェクト管理テーブルを使用して次欄の前記オブジェクトを前記編集画面に自動的に表示させ、自動表示された前記次欄のオブジェクトで良ければ、この配置座標を確定して前記オブジェクト管理テーブルに登録された次のオブジェクトを順次自動表示させて作図を実行し、前記次欄のオブジェクトが次の該当オブジェクトでなければ、その他の前記オブジェクト管理テーブルを検索して順次自動表示させて作図を実行し、いずれの前記オブジェクト管理テーブルにも作図する前記オブジェクトが表示されなければ、１つ前に表示された前記オブジェクトに対する前記関連オブジェクト一覧テーブル及び前記基本オブジェックトに対する前記有力オブジェクトテーブルとを夫々の選択ダイアログボックスを介して自動表示させて、次に作図するオブジェクトを確定して作図を実行し、作図する毎に前記オブジェックト管理テーブルを更新して、作図順、作図する座標位置、及びオブジェクト構成が異なる毎に前記オブジェクト管理テーブルを登録し、作図されたオブジェクトに対して、次に作図される関連性の高いオブジェクトを、前記オブジェックト管理テーブルを参照して自動的に表示させて作図するようにしたことを特徴とする。
【発明の効果】
【００１４】
本発明によれば、作成された監視制御画面の作図順や、機能的な繋がりの属性を登録しておき、監視制御画面を作成する場合に登録された作図部品（オブジェクト）とその属性に一致するものがある場合は、既に作成された作図データを活用して効率よく作図する監視制御システムの監視制御画面の作図支援ツールを提供することができる。
【発明を実施するための最良の形態】
【００１５】
以下、図1乃至図９を参照して、本発明の実施例を説明する。先ず、図２を参照して、本発明の構成を説明する。
【００１６】
本発明の監視制御システムは、作図処理部１とその表示部２とからなる作図支援ツール１０と、作図処理部１とネットワーク３を介して接続される監視制御システムの制御装置４とから構成される。
【００１７】
作図支援ツール１０で作成された監視制御画面の作図データは、ネットワークを介して制御装置に送信され、制御装置が制御する制御対象の監視制御画面として使用される。
【００１８】
次に、作図処理部１の構成について説明する。作図処理部１は、パソコン等で構成することが可能で、ＣＰＵ１ａと、ＣＰＵ１ａがＧＵＩの操作環境で作図操作を行なうプログラム及びデータを記憶するメモリ１ｂと、作図操作を行なうキーボード１ｄ及びマウスと１ｅとこれらの操作端末とのインタフェース１ｃと、メモリ１ｂからネットワーク３を介して作図したデータを制御装置４に転送する為のインタフェース１ｆとから成る。
【００１９】
次に、図１を参照して、作図処理部１のメモリ１ｂに記憶するデータファイル１１の構成について説明する。作図に使用されるデータファイル１１は、予め録された監視制御システムの構成要素を図形化したオブジェクトを一覧可能なオブジェクトファイル１１ａ１と、オブジェクトファイル１１ａ１からオブジェクトを選択し、作図する編集画面に表示させるためのオブジェクト選択ダイアログボックス１１ａ２と、オブジェクト選択ダイアロボックス１１ａ２を使用して、オブジェクトを表示部２に表示させて監視制御画面を作図するとともに、オブジェクトを作図順に並べ、さらに、最初に作図した基本オブジェクトと、該基本オブジェクトと作図したその他のオブジェクトとの重なり及び接近度合いを相互の座標位置から予め定められる関係式で関連度として求め、作図する毎に前記オブジェックトに該関連度を対応付けて登録したオブジェクト管理テーブル１１ｂと、作図された基本オブジェクトに対して作図されるオブジェックトとの関連度を所定の基準で並べた有力オブジェックトテーブル１１ｄ１と有力オブジェクトを選択する為の有力オブジェックトテーブル選択ダイアログボックス１１ｄ２と、作図されたオブジェクトに付随して作図される可能性が高いオブジェックトを対応付けし予め登録した関連オブジェクト一覧テーブル１１ｃ１と関連オブジェクト一覧選択テーブル１１ｃ１を選択するための関連オブジェクト一覧テーブル選択ダイアログボックス１１ｃ２とから成る。
【００２０】
また、オブジェクトファイル１１ａ１は、全てのオブジェクトを夫々の種類のグループ毎に一覧できるように構成したオブジェクトグループ一覧１１ａ１１と、個々のオブジェクト毎に構成されたオブジェクト一覧１１ａ１２とから成り、それぞれに、オブジェクト選択ダイアログボックス１１ａ２１，１１ａ２２を備える。そして、一つのオブジェクトを選択する場合には、いずれのデータファイルオブジェクトから選択しても良い。
【００２１】
次に、図３乃至図６を参照して、データファイル１１の内容について説明する。図３はオブジェックト管理テーブル１１ｂの例を示す。オブジェクト管理テーブル１１ｂは、縦欄には、作図順にオブジェクトを並べ、横欄は作図したオブジェクトの座標と、基本オブジェックトに対する作図エリアの重なり度（％）、基本オブジェックトと作図したオブジェクト間距離と、この重なり度とオブジェクト間距離とで定義される関連度とを対応付けて登録したものである。
【００２２】
例えば、図３において、基本オブジェクトはTank１で、その矩形座標右下（ｘ、ｙ）、右上（ｘ、ｙ）は、（１００、１００）、（２００，３２０）である。そして、次に、作図された作図順２のオブジェクトPipe１は、重なり度（％）３３．３、オブジェクト間距離(Ｌ)０、関連度１．６７を示す。
【００２３】
ここで、図４を参照して、関連度の例について説明する。図４（ａ）は、基本オブジェクトTank１（図４のＡ）に接続されたPipe１（Ｂ）が作図されたときの例にして、その重なり度を説明する。
【００２４】
作図された夫々のオブジェクトＡ、Ｂを図４(ｂ)に示す。図４（ｂ）において、オブジェックＡ、Ｂは、夫々破線に示すような矩形図形でモデル化され、重なり部分を斜線で図示す。
【００２５】
この時、矩形図形の右下座標（Ｘ１、Ｙ１）、右上座標（Ｘ２、Ｙ２）で示すと、重なり度Ｏｖ（％）は、
Ｏｖ
＝（Ｘ２−Ｘ３）・（Ｙ２−Ｙ３）／（Ｘ２−Ｘ１）・（Ｙ２−Ｙ１）×１００
で示される。
【００２６】
ここで、（Ｘ２−Ｘ３）・（Ｙ２−Ｙ３）は、重なっている斜線で示した部分の面積を示し、（Ｘ２−Ｘ１）・（Ｙ２−Ｙ１）は、基準オブジェクトの面積を示し、図３に作図されたTank1とPipe1との重なり度は、３３．３％となる。
【００２７】
次に、オブジェクト間の距離について、図４（ｃ）及び図４（ｄ）を参照して説明する。オブジェクト間の距離は、オブジェクトの重なり度が０（％）の時、即ち、重なりがない状態に作図されたオブジェクトと基本オブジェクトとの間の最も近い距離を算出し、所定の距離で正規化して求めます。
【００２８】
図４(ｃ)において、オブジェクトＡとオブジェクトＣとの距離を求める場合、夫々の座標が、図４(ｄ)で示される場合には、オブジェクト間距離（Ｌ）は、
Ｌ＝[（Ｘ３−Ｘ２）２・（Ｙ３−Ｙ２）２]１／２
で示され、図３に作図されたTank１とPipe2と場合、その値は、３０となる。
【００２９】
また、関連度Ｒは、例えば、
Ｒ＝１＋（１００−重なり度）１００＋距離（Ｌ）×１／１００
と定義した場合、作図された図３のPipe１、Pipe2の場合では、夫々、１．６７、２．３となる。
【００３０】
即ち、このように定義した関連度Ｒによれば、1≦Ｒ≦２の場合には、重なりがあり、２＜Ｒの場合には、図の重なりがないことを示す。
【００３１】
このように関連度を定義することで、基本オブジェックに付随して作成される、基本オブジェクトと関連性の強いオブジェックトが定量的に評価できる。
【００３２】
即ち、オブジェクト管理テーブル１１ｃ１は、作図順、作図するオブジェクトの構成、作図位置が異なる場合には、異なるオブジェクト管理テーブルとして登録される。
【００３３】
次に、図５を参照して関連オブジェクト一覧テーブル１１ｃ１、有力オブジェクトテーブル１１ｄ１について説明する。関連オブジェクト一覧テーブル１１ｃ１は、図５（ａ）に示すように、例えば、Tank1の場合の関連オブジェクトは、Pipe List、Level bar Listなど、その作図したオブジェクトと機能的に関連性が強く、重なって図示されたり、その近傍に作図されたりする可能性が高いオブジェクトを一覧できるように、オブジェクトごとに、予めリスト化してファイルしておくものである。
【００３４】
また、有力オブジェクトテーブル１１ｄ１は、作図した基本オブジェクトに対して、オブジェクト管理テーブル１１ｂで求め関連度の強い順に、予め定めた値以下のオブジェクトを並べたもので、図５(９)に示されるように、オブジェクト毎に登録される。
【００３５】
この有力オブジェクトテーブル１１ｄ１は、登録されるオブジェックト管理テーブル１１ｂと対応付けして登録され、このテーブルに登録されるオブジェックトは、基本オブジェクト毎に、基本オブジェクトとの関連度の強い値のオブジェックトから順に、複数が自動的に選択して登録される。
【００３６】
次に、このようなデータファイル１１を使用して作図する作図ツール１０の動作について、図６乃至図９を参照して説明する。先ず、その作図動作を制御するオブジェクトとオブジェクト選択ダイアログボックス１１ａ２を使用して、動作の概略を説明する。
【００３７】
図６（ａ）は、オブジェクトメニュー画面２１で、図６（ｂ）に示す、オブジェクトグループ一覧１１ａ１１またはオブジェクト一覧１１ａ１２のファイルを参照して、そのいずれかのファイルを選択表示させる。
【００３８】
オブジェクトメニュー画面２１で選択したオブジェクトファイルは、図３（ｄ）に示すように、編集画面２２に、夫々のオブジェクト選択ダイアログボックス１１ａ２（１１ａ２１、１１ａ２２）として表示される。
【００３９】
尚、オブジェクトファイルには、詳細を割愛するが、監視制御要素のオブジェクト以外に、作図部品を描画するための線などの作図部品のオブジェクト選択ダイアログボックス１１ａ２０も含まれる。
【００４０】
そして、例えば、図３（ｅ）に示すように、オブジェクト選択ダイアログボックス１１ａ２１で選択されたオブジェクトＡが、編集画面２２の編集エリアに表示される。
【００４１】
次に、作図された基本オブジェクトまたはオブジェクトに対して、次に作図されることが予想されるオブジェクトが、図３（ｆ）に示すように、有力オブジェックト選択ダイアログボックス１１ｄ２や、関連オブジェックト一覧選択ダイアログボックス１１ｃ２のように表示される。
【００４２】
ここで、有力オブジェクトテーブル１１ｄ１及び関連オブジェクト一覧テーブル１１ｃ１の夫々の選択ダイアログボックスのオブジェクトを選択すると、その選択されたオブジェクトＢ及びオブジェクトＣが自動的に編集画面に図３（ｆ）や図３（ｇ）のように作図される。
【００４３】
次に、図７を参照して作図支援ツール１０の動作を説明する。先ず、メニューバーを表示させて、オブジェックトファイルから作図する最初の１つ目の基本オブジェクトを選択して表示させる（ｓ０）。
【００４４】
次に、表示させた基本オブジェクトがオブジェクト管理テーブル１１ｂにあるか否かを検索する（ｓ１）。無かった場合は、新規にオブジェクト管理テーブルを作成する。先ず、基本オブジェクトを登録し（ｓ２）、以下、順次オブジェクト表示、選択して（ｓ３）、オブジェックト管理テーブルを更新して（ｓ４１）、作図を修了するまで実行する（Ｓ３〜ｓ４１）。
【００４５】
この作図作業は、従来の作図作業である。
【００４６】
次に、ステップｓ１で、オブジェクト管理テーブル１１ｂに存在する場合の処理ステップについて説明する。
【００４７】
オブジェクト管理テーブル１１ｂに有りと判定された場合には、そのテーブルの次のオブジェクトが自動的に編集画面に表示される（ｓ５）。表示されたオブジェクトで良いか否かをオペレータが判定し（ｓ６）、オペレータが良いと判定した場合にはそのオブジェクトの座標位置を確定する。座標位置の変更が必要な場合は、移動して確定する。
【００４８】
するとオブジェクト管理テーブルが自動更新され（ｓ７）、次にオブジェックトが表示され、以下同様の動作を繰り返す（ｓ５〜ｓ７）。
【００４９】
ステップｓ６で表示されたオブジェクトが否であると判定された場合（ｓ６）には、作図処理部１は、登録された複数のオブジェクト管理テーブル１１ｂを参照して２、他のオブジェクトを順次自動表示させ（ｓ６１）、表示されたオブジェクトが次に作図するオブジェクトであるか否かを判定し、そうである場合には（ｓ６２）、このオブジェクトを確定する。（ｓ７）。
【００５０】
表示されたオブジェクトが次に作図するオブジェクトでない（否）と判定された場合には（ｓ６２）、１つ前のオブジェクトに対する関連オブジェクト一覧テーブルを、同時に、基本オブジェクトに対する有力オブジェクトテーブルを参照して、これらの選択ダイアログボックスを自動表示させ（ｓ８）、夫々の選択ダイアログボックス（１１ｃ２、１１ｄ２）からオブジェクトが有るか否かを判定し（ｓ９）、ある場合は、そのオブジェクトを選択して、オブジェクト管理テーブルを更新する（ｓ１０）。
【００５１】
選択ダイアログボックス（１１ｃ２、１１ｄ２）からオブジェクトが有るか否かを判定し（ｓ９）、ないと判定された場合は、再び、オブジェクトグループ一覧または、オブジェクト一覧を表示させてオブジェクトを表示・選択し（ｓ１１）、さらに、オブジェクト管理テーブル１１ｂ及び有力オブジェクトテーブルを自動更新する（ｓ１２）。
【００５２】
そして、作図少量か否かを判定し（ｓ１３）終了で無い場合には、ステップｓ５に戻る。
【００５３】
次に、図８及び図９を参照して、その詳細動作の例を説明する。図８及び図９は、図７の詳細を説明したもので、対応する各ステップは同一の符号を記し、その説明を省略するが、図７に対してさらに詳細なステップが説明されている箇所について説明する。
【００５４】
ステップｓ０は、詳細には、ステップｓ０１乃至ステップｓ０６で構成される。オブジェクトメニュー画面２１のオブジェクトグループ一覧、またはオブジェクト一覧を選択する。
【００５５】
いずれかのファイルを選択し（ｓ０２）、オブジェクトグループ一覧の選択で良い場合には、そのオブジェクトグループ一覧１１ａ１１の該当するグループ名を選択して（ｓ０３）、表示されたオブジェクトグループ選択ダイアログボックス１１ａ２１が表示される（ｓ０４）。
【００５６】
そうでない場合には、オブジェクト一覧から直接オブジェクトを選択するｓ０５）。
【００５７】
そして、いずれかの選択されたオブジェクトの位置を編集画面の編集エリアに配置する（ｓ０６）。
【００５８】
次に、ステップ２は、オブジェクト管理テーブル１１ｂを新規作成するステップｓ２１と、このテーブルの座標位置、関連度を登録するステップs２２とから成る。
【００５９】
また、ステップ４は、オブジェクト管理テーブル１１bを更新するステップｓ４１と、登録されるオブジェクト毎に有力オブジェクトテーブル１１d１を更新するステップs４２とから成る。
【００６０】
次に、図９を参照して、詳細を説明する。ステップ８は、基本オブジェクトに対する有力オブジェクト選択ダイアログボックス１１ｄ２と、１つ前の作図が確定されたオブジェクトの関連オブジェクト選択ダイアログボックス１１ｃ２を自動的に表示させる。これは、同時に表示されても、順次表示されてもいずれでも良いが、通常、有力オブジェクト選択ダイアログボックス１１ｄ２が先に表示される（ｓ８）。
【００６１】
以上述べたように、本実施例によれば、ステップ５乃至ステップ１３において、登録されたオブジェクト管理テーブル１１ｂと有力オブジェクトテーブルとを利用して作図すると共に、新たな作図情報を更新してオブジェクト管理テーブルを新たに登録し、同時に、関連どの高い有力オブイジェクトを登録して行くので、作図作業の効率が向上する。
【００６２】
また、予め登録されたオブジェクト毎の関連オブジェクト一覧テーブルを備えているので、オブジェクトに付随する他の作図情報、例えば、そのオブジェクトの動作状態を示すバーグラフ等も図示することが可能となるので、作図の作業効率が向上する。
【００６３】
本発明は、上述した実施例に何ら限定されるものではなく、オブジェクト管理テーブルを備え、作図データを記憶しておき、作図データを繰り返し利用できる構成のものであれば良く、また、基本オブジェクトとの関連度は、オブジェクト間の位置関係を定義できるものであれば良く、本発明の主旨を逸脱しない範囲で種々変形して実施することができる。
【図面の簡単な説明】
【００６４】
【図１】本発明の作図支援ツールの構成図。
【図２】本発明の監視制御システムの構成図。
【図３】本発明のオブジェックト選択ダイアログボックスの例。
【図４】本発明のオブジェクト管理テーブルの例。
【図５】本発明の関連度の定義を説明する図。
【図６】本発明の関連オブジェクト一覧テーブル、有力オブジェックトテーブルの例。
【図７】本発明の作図支援ツールの動作を説明するフローチャート。
【図８】本発明による作図支援ツールの動作を説明する詳細フローチャート。
【図９】本発明による作図支援ツールの動作を説明する詳細フローチャート。
【符号の説明】
【００６５】
１  作図処理部
１ａ  ＣＰＵ
１ｂ  メモリ
１ｃ  インタフェース
１ｄ  キーボード
１ｅ  マウス
１ｆ  インタフェース
２  表示部
３  ネットワーク
４  制御装置
１０  作図支援ツール
１１  データファイル
１１ａ１  オブジェクトファイル
１１ａ１１  オブジェクトグループ一覧
１１ａ１２  オブジェクト一覧
１１ａ２  オブジェクト選択ダイアログボックス
１１ａ２０  その他の作図オブジェクト
１１ａ２１  オブジェクトグループ一覧
１１ａ２２  オブジェクト一覧
１１ｂ  オブジェクト管理テーブル
１１ｃ１  関連オブジェクト一覧テーブル
１１ｃ２  関連オブジェクト一覧テーブル選択ダイアログボックス
１１ｄ１  有力オブジェクトテーブル
１１ｄ２  有力オブジェクトテーブル選択ダイアログボックス
２１  オブジェクトメニュー画面
２２  編集画面
【図１】
2009151490.tif 000003
【図２】
2009151490.tif 000004
【図３】
2009151490.tif 000005
【図４】
2009151490.tif 000006
【図５】
2009151490.tif 000007
【図６】
2009151490.tif 000008
【図７】
2009151490.tif 000009
【図８】
2009151490.tif 000010
【図９】
2009151490.tif 000011